(57)【要約】【課題】発電機制御盤筐体を屋外に設置する場合、日中は太陽光の下に晒されることになるが、液晶パネルが採用されることが多い表示操作手段は、太陽光の下では視認性が悪く、表示内容が見難い。【解決手段】発電設備の各種制御機器のうち、同期発電機の出力電圧を検出する電圧検出変圧器８、電力系統の電圧を検出する電圧検出変圧器１４、発電機の出力電流を検出する変流器９、発電制御装置１２、ＡＶＲ１３、開閉器駆動手段２２を発電機制御盤筐体３１内に収納し、監視操作のための同期検定器１５、電圧計１６および１７、周波数計１８および１９、回転数増減手段２０、電圧増減手段２１、開閉器操作手段２３、表示操作手段２４を携帯型収納箱３２に取り付け、携帯型収納箱３２内各種機器および手段と、発電機制御盤筐体３１との間でケーブル３４により信号の遣り取りを行えるようにした。【選択図】図１
2010035343.tif 000002
【特許請求の範囲】
【請求項１】
調速器を備えた原動機によって駆動されると共に自動電圧調整器により励磁されて発電し、開閉器を介して電力系統に接続される同期発電機を備えた発電設備であって、
前記電力系統の電圧を検出する電圧検出手段と、前記同期発電機の出力電圧を検出する電圧検出手段と、前記同期発電機の出力電流を検出する電流検出手段と、前記同期発電機の回転速度を検出する回転速度検出手段と、前記同期発電機の電圧検出手段、電流検出手段および回転速度検出手段から出力されたデータを入力して前記同期発電機の出力状態を計測するとともに、これら入力したデータに基づいて同期発電機の各種データを演算して計測データとして保持し、予め設定される電力目標値に基づいて制御演算を行い、前記調速器、前記自動電圧調整器へそれぞれ回転速度増減信号、電圧増減信号を出力して前記同期発電機の出力電力を制御すると共に、発電制御装置と、前記調速器へ回転速度増減信号を出力する回転速度増減手段と、前記自動電圧調整器へ電圧増減信号を出力する電圧増減手段と、前記同期発電機の電圧検出手段からの出力電圧を入力して電圧および周波数をそれぞれ表示する手段と、前記電力系統母線の電圧検出手段からの出力電圧を入力して電圧および周波数をそれぞれ表示する手段と、前記開閉器を開閉する開閉器駆動手段と、当該開閉器駆動手段へ開閉信号を出力する手段と、前記同期発電機の出力電圧と前記電力系統の電圧より両者の同期状態を示す同期検出手段と、通信ケーブルを介して前記発電制御装置が保持する計測データを受信して表示するとともに、前記発電制御装置の設定を変更するための操作画面を備えた表示操作手段と、前記同期発電機および前記電力系統側の電圧検出変圧器にそれぞれ接続される信号線の端子、前記発電制御装置の回転速度増減信号回路および電圧増減信号回路にそれぞれ接続される信号線の端子、および前記発電制御装置のデータ送受信用ケーブルの端子をそれぞれコネクタに接続してなるインターフェースと、を備え、
前記発電制御装置、前記自動電圧調整器、前記開閉器駆動手段およびインターフェースのコネクタを発電機制御盤筐体内に収納し、
前記開閉器駆動手段へ開閉信号を出力する手段と、前記調速器へ回転速度増減信号を出力する手段と、前記自動電圧調整器へ電圧増減信号を出力する手段と、前記同期発電機の出力電圧および周波数をそれぞれ表示する手段と、前記電力系統の電圧および周波数をそれぞれ表示する手段と、前記同期検定手段と、前記表示操作手段とを、携帯可能な大きさの収納箱に収納し、
前記発電機制御盤筐体内に収納されたインターフェースのコネクタと前記収納箱内の各手段とを信号伝送路により接続したことを特徴とする発電設備。
【請求項２】
前記発電制御装置、前記自動電圧調整器、前記開閉器駆動手段および接続インターフェースのコネクタに加えて、前記電力系統の電圧を検出する電圧検出手段、前記同期発電機の出力電圧を検出する電圧検出手段および前記同期発電機の出力電流を検出する電流検出手段を発電機制御盤筐体内に収納したことを特徴とする請求項１記載の発電設備。
【請求項３】
前記信号伝送路をケーブルで構成したことを特徴とする請求項１記載の発電設備。
【請求項４】
前記発電機制御盤筐体に、前記接続インターフェースのコネクタの接続面が露出するような穴または切り欠き部を設け、この穴または切り欠き部を通して収納箱側のコネクタを抜き差し可能にしたことを特徴とする請求項１記載の発電設備。
【発明の詳細な説明】
【技術分野】
【０００１】
本発明は、発電制御装置から出力される増減信号により調速機の速度設定値と自動電圧調整器の設定電圧を変化させて発電機の出力と力率とを制御するようにした発電設備に係り、特に操作性を損なうことなく画面の視認性を向上させるようにした発電設備に関する。
【背景技術】
【０００２】
コージェネレーション発電設備などに適用される中小容量の発電設備では、通常、商用電力系統との並列運転を行い、同期発電機の出力制御および力率制御を行うようにしている（例えば、特許文献１参照）。そのため、調速機および自動電圧調整器にドループ（droop）特性を持たせ、発電制御装置からの増減信号により、調速機の速度設定値と自動電圧調整器の設定電圧を変化させて発電機の出力と力率を制御するようにしている。
【０００３】
ここで、調速機および自動電圧調整器におけるドループ（droop）特性とは速度調定率特性のことをいい、横軸に発電機出力、縦軸に発電機周波数（又は回転数）をとったグラフにおいて、右下がりのほぼ直線に近い特性が、速度調定率特性である。
【０００４】
このように、商用電力系統との並列運転を行う中小容量の発電設備の一例を具体的に示したのが図４である。
【０００５】
図４において、１は同期発電機であり、界磁巻線２を備えた回転界磁極がガスタービンエンジンやディーゼルエンジン等の原動機３と軸直結されて駆動されるように構成され、界磁巻線２に後述する自動電圧調整器１３から励磁電力を供給されて発電するように構成されている。
【０００６】
４は調速器（以下、ガバナという）であり、後述する発電制御装置１２および後述する速度増減手段２０から出力された回転速度増減信号に基づいて燃料加減弁５の弁開度を調節することによって原動機３に供給する燃料供給量を調節して、原動機３の回転速度を制御する。
【０００７】
６は同期発電機１の回転速度Ｎを検出する非接触型の回転速度検出器であり、検出した回転速度信号Ｎを発電制御装置１２に入力する。
【０００８】
同期発電機１の出力端子には発電機母線７が接続され、さらにこの発電機母線７には、発電機電圧検出変圧器８、発電機電流検出変流器９が設置されるとともに、開閉器１０を介して商用電力系統の母線１１が接続されるようになっている。
【０００９】
１２は発電制御装置であり、内部にアナログ信号入出力機能とデジタル信号入出力機能を有するシーケンサを備えており、前述した電圧検出変圧器８と電流検出変流器９との２次回路からそれぞれ電圧信号ＶＧおよび電流信号Ｉを入力し、また、回転速度検出器６から同期発電機１の回転速度信号Ｎを入力し、これら入力した信号に基づいて同期発電機１の出力電圧、電流、回転速度、電力、力率等の各種データを演算して計測データとして保持するとともに、外部から与えられる電力指令信号に基づいてソフトウェアにより制御演算を行い、調速器４に対して速度増減信号回路１２４により回転速度増減信号を、また、後述する自動電圧調整器１３に対して電圧増減信号回路１２１３により電圧増減信号をそれぞれ出力して同期発電機１の出力電力を制御するように構成されている。
【００１０】
１３は自動電圧調整器（以下、ＡＶＲという）であり、前述した電圧検出変圧器８の２次回路から電圧信号ＶＧを、発電制御装置１２あるいは後述する電圧増減手段２１から出力される電圧増減信号を入力し、この入力した電圧増減信号に基づいて同期発電機１の界磁巻線２へ供給する励磁電力を調節し、同期発電機１の出力電圧を所望の電圧に制御するように構成されている。
【００１１】
そして、これら発電制御装置１２と、ガバナ４と、ＡＶＲ１３との間の制御信号の入出力関係は図５で示すようになっている。
【００１２】
図５において、ガバナ４は、速度増減信号回路１２４を介して発電制御装置１２または速度増減手段２０からの速度増減信号を入力するドループ特性４ａと、このドループ特性部４ａの出力から回転速度検出値を減算して偏差を求める減算部４ｂと、この減算部４ｂの偏差に基づいて演算し、燃料制御信号を出力する制御演算部４ｃとを備えている。
【００１３】
同様に、自動電圧調整器（ＡＶＲ）１３は、電圧増減信号回路１２１３を介して発電制御装置１２または後述する電圧増減手段２１からの電圧増減信号を入力するドループ特性部１３ａと、このドループ特性部１３ａの出力から電圧検出値を減算して偏差を求める減算部１３ｂと、この減算部１３ｂの偏差に基づいて演算し、界磁電圧制御信号を出力する制御演算部１３ｃとを備えている。
【００１４】
このように、ガバナ４、ＡＶＲ１３は、発電制御装置１２の速度増減信号回路１２４、電圧増減信号回路１２１３からそれぞれ出力された速度増減信号、電圧増減信号によりガバナ４の速度設定値、ＡＶＲ１３の設定電圧が制御されて、同期発電機１の出力と力率とが制御されるように構成されている。
【００１５】
再び図４において、１４は商用電力系統１１の電圧ＶＬを検出する電力系統電圧検出変圧器である。１５は同期検定器であり、信号線２５により発電機電圧検出変圧器８の二次回路に接続されて電圧ＶＧを取り込み、さらに信号線２６により電力系統電圧検出変圧器１４の二次回路に接続されて電圧ＶＬを取り込み、それぞれの電圧ＶＧ、ＶＬの大きさおよび位相を検出して両電圧の同期状態を表示する。１６および１７は電圧検出変圧器８および１４でそれぞれ検出された電圧ＶＧ、ＶＬを測定する電圧計、そして１８および１９は、電圧検出変圧器８および１４でそれぞれ検出された電圧ＶＧ、ＶＬの周波数を測定する周波数計である。
【００１６】
２０および２１はそれぞれ回転数増減手段および電圧増減手段であり、主に同期発電機１を電力系統１１に同期投入操作するときに用いられる。そして、これら回転数増減手段２０および電圧増減手段２１は、押しボタンスイッチで構成され、押しボタンが押されているときに増減信号を出力するように構成されている。これら回転数増減手段２０および電圧増減手段２１は、それぞれ信号線２７、２８により前記速度増減信号回路１２４、電圧増減信号回路１２１３に接続されている。
【００１７】
２２は開閉器１０の開閉を行う開閉器駆動手段であり、直流電源、投入コイルおよびトリップコイル等を備えている。２３は信号線２９を介して開閉器駆動手段２２の投入コイルあるいはトリップコイルに開閉信号を与える開閉器操作手段であり、オンおよびオフの押しボタンスイッチを有している。
【００１８】
２４はタッチセンサを有するコンピュータと液晶パネルとを組み合わせて構成した表示操作手段であり、通信ケーブル３０によって発電制御装置１２との間でデータの送受信を行うように構成されている。この表示操作手段２４は、液晶パネル上に発電制御装置１２から受信した同期発電機１に係る出力電圧、電流、回転速度、電力、力率等の計測データや、操作ボタン等を予め決められた画面レイアウトに従って表示すると共に、液晶パネル上に表示された操作ボタンがタッチされた場合には、発電制御装置１２へ送信して、発電制御装置１２内部のソフトウェアの設定を変更することもできるように構成されている。
【００１９】
以上のように構成された発電設備において、同期発電機１の電力系統母線１１への同期投入操作は次のようにして行われる。
【００２０】
監視操作員が同期発電機１側の電圧計１６および電力系統側の電圧計１７を見ながら電圧増減手段２１を操作して同期発電機１の電圧ＶＧを電力系統母線１０の電圧ＶＬに合致させ、さらに同期発電機側の周波数計１８および電力系統側の周波数計１９を見ながら回転速度増減手段２０を操作して同期発電機１の電圧、周波数を電力系統母線１０の周波数に合わせ、同期検定手段１５を見ながら回転速度増減手段２０により同期発電機１の電圧位相を電力系統１０の電圧位相に合致させ、開閉器操作手段２３の操作ボタンを操作して開閉器１０を閉じることにより完了する。
【００２１】
同期発電機１が電力系統母線１１へ給電中、発電制御装置１２は外部すなわち表示操作手段２４から与えられる電力指令に従って同期発電機１の出力電力を制御する。
同期発電機１の運転状況は表示操作手段２３の画面を見ることにより確認することができる。
【００２２】
一方、発電設備の調整試験やメンテナンス時において、発電制御装置１２の内部のソフトウェアの設定を変更する必要がある場合は、表示操作手段２４をタッチ操作する。
【００２３】
図４に示した発電設備は、同期発電機１、界磁巻線２、原動機３、燃料加減弁５および回転速度検出器６以外の破線で囲まれた発電設備制御機器は、発電機制御盤筐体（エンクロージャともいう）３１に収められ、屋内または屋外に設置される。
【００２４】
図６は発電機制御盤筐体３１を正面から見た図である。
発電機制御盤の筐体３１の正面扉または正面板３１Ｄには、表示操作手段２４、同期検定手段１５、電圧計１６および１７、周波数計１８および１９、回転数増減手段２０、電圧増減手段２１、開閉器操作手段２３を取り付けており、監視操作員が外部から監視および操作できるようになっている。
【特許文献１】特開２００５−３０４２６６号公報
【発明の開示】
【発明が解決しようとする課題】
【００２５】
以上説明した従来の発電設備は、発電機制御盤筐体３１を屋外に設置する場合、日中は太陽光の下に晒されることになるが、液晶パネルが採用される表示操作手段２４は、太陽光の下では視認性が悪いため表示内容が見難いという欠点がある。
【００２６】
この欠点を回避するために表示操作手段２４の周りに庇を設ける方法が考えられるが、この方法を採用すると発電機制御盤筐体３１の正面に加工が必要となり、製作作業が複雑になる欠点がある。
【００２７】
他の回避手段としては、表示操作手段２４にハンディタイプのものを採用し、延長した通信ケーブルを用いて発電制御装置１２と接続することで画面が見易い環境に表示操作手段２４を移動して操作するということも考えられるが、監視操作員が前述した同期投入操作を行う場合は、発電機制御盤筐体３１の正面に設置されている電圧計、周波数計、同期検定器等の他の計器類と、ハンディタイプの表示操作手段２４の画面の両方を注視しなければならず、同期投入操作が難しいという欠点がある。
【００２８】
そこで本発明はこのような課題を解決するためになされたもので、発電設備の制御機器類を収納した発電機制御盤筐体を屋外へ設置する場合であっても、同期投入や調整試験あるいはメンテナンス時の操作性を維持しながら表示操作手段の視認性の向上を図るようにした発電設備を提供することを目的とするものである。
【課題を解決するための手段】
【００２９】
上記の目的を達成するために、請求項１に記載の発明は、調速器を備えた原動機によって駆動されると共に自動電圧調整器により励磁されて発電し、開閉器を介して電力系統に接続される同期発電機を備えた発電設備であって、
前記電力系統の電圧を検出する電圧検出手段と、前記同期発電機の出力電圧を検出する電圧検出手段と、前記同期発電機の出力電流を検出する電流検出手段と、前記同期発電機の回転速度を検出する回転速度検出手段と、前記同期発電機の電圧検出手段、電流検出手段および回転速度検出手段から出力されたデータを入力して前記同期発電機の出力状態を計測するとともに、これら入力したデータに基づいて同期発電機の各種データを演算して計測データとして保持し、予め設定される電力目標値に基づいて制御演算を行い、前記調速器、前記自動電圧調整器へそれぞれ回転速度増減信号、電圧増減信号を出力して前記同期発電機の出力電力を制御すると共に、発電制御装置と、前記調速器へ回転速度増減信号を出力する回転速度増減手段と、前記自動電圧調整器へ電圧増減信号を出力する電圧増減手段と、前記同期発電機の電圧検出手段からの出力電圧を入力して電圧および周波数をそれぞれ表示する手段と、前記電力系統母線の電圧検出手段からの出力電圧を入力して電圧および周波数をそれぞれ表示する手段と、前記開閉器を開閉する開閉器駆動手段と、当該開閉器駆動手段へ開閉信号を出力する手段と、前記同期発電機の出力電圧と前記電力系統の電圧より両者の同期状態を示す同期検出手段と、通信ケーブルを介して前記発電制御装置が保持する計測データを受信して表示するとともに、前記発電制御装置の設定を変更するための操作画面を備えた表示操作手段と、前記同期発電機および前記電力系統側の電圧検出変圧器にそれぞれ接続される信号線の端子、前記発電制御装置の回転速度増減信号回路および電圧増減信号回路にそれぞれ接続される信号線の端子、および前記発電制御装置のデータ送受信用ケーブルの端子をそれぞれコネクタに接続してなるインターフェースと、を備え、
前記発電制御装置、前記自動電圧調整器、前記開閉器駆動手段およびインターフェースのコネクタを発電機制御盤筐体内に収納し、
前記開閉器駆動手段へ開閉信号を出力する手段と、前記調速器へ回転速度増減信号を出力する手段と、前記自動電圧調整器へ電圧増減信号を出力する手段と、前記同期発電機の出力電圧および周波数をそれぞれ表示する手段と、前記電力系統の電圧および周波数をそれぞれ表示する手段と、前記同期検定手段と、前記表示操作手段とを、携帯可能な大きさの収納箱に収納し、
前記発電機制御盤筐体内に収納されたインターフェースのコネクタと前記収納箱内の各手段とを信号伝送路により接続したことを特徴とする。
【００３０】
また、請求項２記載の発明は、請求項１記載の発電設備において、前記発電制御装置、前記自動電圧調整器、前記開閉器駆動手段および接続インターフェースのコネクタに加えて、前記電力系統の電圧を検出する電圧検出手段、前記同期発電機の出力電圧を検出する電圧検出手段および前記同期発電機の出力電流を検出する電流検出手段を発電機制御盤筐体内に収納したことを特徴とする。
【００３１】
請求項３記載の発明は、請求項１記載の発電設備において、前記信号伝送路をケーブルで構成したことを特徴とする。
【００３２】
請求項４記載の発明は、請求項１記載の発電設備において、前記発電機制御盤筐体に、前記接続インターフェースのコネクタの接続面が露出するような穴または切り欠き部を設け、この穴または切り欠き部を通して収納箱側のコネクタを抜き差し可能にしたことを特徴とする。
【発明の効果】
【００３３】
本発明によれば、表示操作手段を収納した携帯型の収納箱内に同期投入操作を行うために必要な各種機器を取り付け、発電制御装置や自動電圧調整器などを収納した発電機制御盤との間で信号の遣り取りを行えるようにしたので、日中太陽光により表示画面が見難い場合は、携帯型収納箱を日陰等の画面が見易い場所へ移動して監視作業を行うことが可能となり、操作性を損なうことなく視認性が向上した発電設備を提供することができる。
【００３４】
加えて、本発明によれば、複数の発電機制御盤が同じ設備範囲内に存在する場合に、前記携帯型収納箱がすべての発電機制御盤に共通に使用できるので、すべての発電機制御盤に表示操作手段等を備える必要がなくなり、コストを低減することができる。
【００３５】
さらに、発電装置の操作や監視が不要な場合は、携帯型収納箱は発電機制御盤に接続して動作させる必要がないため、消費電力を抑制することができる。
【発明を実施するための最良の形態】
【００３６】
以下、図面を参照して本発明の実施形態について説明する。
（第１の実施形態）
図１は、本発明による発電設備の第１の実施形態の構成図であり、図２は本実施形態による発電設備の発電機制御盤筐体の概観図である。
【００３７】
図１において、１〜３１の符号を付した構成要素については、図４で説明した構成要素と同じものであるため、重複した説明は省略する。
【００３８】
本実施形態は、図１中の破線で囲まれた発電機制御盤筐体３１に収納された発電設備の各種制御機器のうち、同期発電機の出力電圧を検出する電圧検出変圧器８、電力系統の電圧を検出する電圧検出変圧器１４、発電機の出力電流を検出する変流器９、発電制御装置１２、ＡＶＲ１３、開閉器駆動手段２２を発電機制御盤筐体３１内に収納するようにした点は図４の従来技術と同じであるが、従来技術と異なる点は、同期投入操作等の監視操作のために必要な機器・計器および操作ボタンとしての同期検定器１５、電圧計１６および１７、周波数計１８および１９、回転数増減手段２０、電圧増減手段２１、開閉器操作手段２３および表示操作手段２４を発電機制御盤筐体３１から独立した携帯型収納箱３２に一括して取り付けるようにし、発電機制御盤筐体３１内の機器と、携帯型収納箱３２内の機器・計器および操作ボタンとの間をケーブルによって通信可能にした点である。
【００３９】
以下、図１を参照して本実施形態を具体的に説明する。
上述したように、監視操作のための機器である同期検定器１５、電圧計１６および１７、周波数計１８および１９、回転数増減手段２０、電圧増減手段２１、開閉器操作手段２３、表示操作手段２４を発電機制御盤の筐体３１に取り付けずに、携帯型収納箱３２に取り付けるためには、発電機制御盤筐体３１に収納されている電圧検出変圧器８乃至１４までの各種機器の接続端子を接続インターフェース３３のコネクタ（レセプタクル）に接続する必要がある。
【００４０】
すなわち、電圧検出変圧器８および１４と同期検定器１５とを接続する信号線２５および２６の同期検定器１５側端子ｔ２５およびｔ２６と、回転数増減手段２０と発電制御装置１２とを接続する信号線２７の回転数増減手段２０側端子ｔ２７と、電圧増減手段２１と発電制御装置１２とを接続する信号線２８の電圧増減手段２１側端子ｔ２８と、開閉器駆動手段２２と開閉器操作手段２３とを接続する信号線２９の開閉器操作手段２３側端子ｔ２９と、発電制御装置１２と表示操作手段２４とを接続する通信ケーブル３０の表示操作手段２４側端子ｔ３０と、をそれぞれ接続インターフェース３３のレセプタクル３３Ｒに接続し、このレセプタクル３３Ｒを発電機制御盤筐体３１に固定する。
【００４１】
一方、携帯型収納箱３２には、視認性および操作性を考慮して例えば、左側上部から右側下部にかけて順次、電圧計１６および１７、周波数計１８および１９、同期検定器１５、回転数増減手段２０、電圧増減手段２１、開閉器操作手段２３および表示操作手段２４を取り付ける。
【００４２】
そして、監視操作員が同期投入操作等を行う場合には、発電機制御盤筐体３１側に固定されているレセプタクル３３Ｒに携帯型収納箱３２の信号伝送路であるケーブル３４の端部に取り付けられているプラグ３３Ｐを差し込んで接続する。なお、同期発電機１の監視操作を行わないときは、通常はプラグ３３Ｐをレセプタクル３３Ｒから取り外して携帯型収納箱３２を適当な場所に保管しておく。勿論、プラグ３３Ｐとレセプタクル３３Ｒとを接続した状態まま発電機制御盤筐体３１内に保管してもよい。
【００４３】
図２は、発電機制御盤筐体３１への接続インターフェース３３の設置例と、接続インターフェース３３とケーブル３４と携帯型収納箱３２との接続例を示す。
【００４４】
接続インターフェース３３のレセプタクル３３Ｒは、図示のように発電機制御盤筐体３１の正面扉３１Ｄを開けたとき、プラグ３３Ｐとの接続を容易に行えるように発電機制御盤筐体３１内側の開口部の近傍に設置される。
【００４５】
以上述べたように、本実施形態によれば、発電設備制御機器のうち、電圧検出変圧器８、１４、変流器９、発電制御装置１２、ＡＶＲ１３、開閉器駆動手段２２を発電機制御盤筐体３１内に収納し、一方、監視操作を行うための同期検定器１５、電圧計１６および１７、周波数計１８および１９、回転数増減手段２０、電圧増減手段２１、開閉器操作手段２３および表示操作手段２４等の機器・計器および操作ボタンは、発電機制御盤筐体３１に収納せずに、外部の携帯型収納箱３２に取り付けて、両者間を例えばケーブルを介して通信可能に接続するようにしたので、監視操作員は発電機制御盤筐体３１から離れた作業し易い場所、画面が見易い場所で監視操作することが可能となる。
【００４６】
この結果、発電機制御盤筐体３１が屋外に設置され、日光に晒されているとしても、各種計器１６〜１９、表示操作手段２４等の視認性や押しボタンの操作性を損なうことなく作業を行うことができる。
【００４７】
また、本実施形態によれば、発電機制御盤１２と、携帯型収納箱３２とを１対１の関係で用意しておく必要がないので、複数の発電機制御盤が同じ設備範囲内に存在する場合に、１台の携帯型収納箱をすべての発電機制御盤に共通使用することができるので、すべての発電機制御盤に表示操作手段等を備える必要がなくなり、図４で示したような従来のシステムに比べ、コストを低減することができる。
【００４８】
さらに、本実施形態によれば、調速機４およびＡＶＲ１３の操作を行って、同期発電機１を電力系統母線１１に併入したあと、特に発電設備の操作や監視を行う必要がない場合は、携帯型収納箱３２と発電機制御盤３１との接続を切り離すようにしておけば、監視のための消費電力を抑制することができる。
【００４９】
（第２の実施形態）
以上説明した第１の実施形態では、発電機制御盤筐体３１の正面扉３１Ｄを開けた状態で接続インターフェースのレセプタクル３３Ｒにプラグ３３Ｐを差し込むようにしたが、本発明はこれに限定されるものではない。
【００５０】
例えば、図３のように、正面扉３１Ｄにプラグ３３Ｐを差し込むことが可能な大きさの穴または切り欠き部３３Ｈを開け、この穴または切り欠き部３３Ｈにレセプタクル３３Ｒの接続面を臨ませる（露出させる）状態にして発電機制御盤筐体３１の正面扉３１Ｄにレセプタクル３３Ｒを固定したものである。
【００５１】
このようにすれば、正面扉３１Ｄを開けずにプラグ３３Ｐをレセプタクル３３Ｒに差し込み可能となり、正面扉３１Ｄを開けずに監視操作を行うことができる。
【００５２】
（変形例）
なお、本発明は以上説明した実施形態に限定されるものではなく、次のように適宜変更することが可能である。
【００５３】
例えば、同期発電機１の出力電圧ＶＧおよび電流Ｉ、並びに電力系統の電圧ＶＬを検出する電圧検出変圧器８、１４および変流器９は、図１で示したように発電機制御盤筐体３１内に収納することが一般的ではあるが、例外としてこれら電圧検出変圧器８、１４および変流器９を発電機制御盤筐体３１の外部に設置し、適当なケーブルを用いて発電機制御盤筐体３１内に電圧信号、電流信号を取り込むように構成してもよい。
【００５４】
さらに、発電機制御盤筐体３１に無線の受光部を設け、接続インターフェース３３をケーブル３４による有線接続形式から無線接続型式に置き換えてもよい。
【図面の簡単な説明】
【００５５】
【図１】本発明の第１の実施形態による発電設備の回路構成図。
【図２】本発明の第１の実施形態による発電設備の発電機制御盤筐体の概観図。
【図３】本発明の第２の実施形態による発電設備の発電機制御盤筐体の概観図。
【図４】従来技術の発電設備の回路構成図。
【図５】一般的な発電制御装置とＡＶＲ、調速器の関係を示す図。
【図６】従来技術の発電設備の発電機制御盤筐体の概観図。
【符号の説明】
【００５６】
１…同期発電機、２…発電機界磁巻線、３…原動機、４…調速器、５…燃料加減弁、６…回転速度検出手段、７…発電機母線、８、１４…電圧検出変圧器、９…変流器、１０…開閉器、１１…電力系統母線、１２…発電制御装置、１３…自動電圧調整器、１５…同期検定手段、１６、１７…電圧計、１８、１９…周波数計、２０…回転速度増減手段、２１…電圧増減手段、２２…開閉器駆動手段、２３…開閉器操作手段、２４…表示操作手段、２５〜２９…信号線、３０…通信ケーブル、３１…発電機制御盤筐体（エンクロージャ）、３２…携帯型収納箱、３３…接続インターフェース、３３Ｒ…レセプタクル、３３Ｐ…プラグ、３４…信号伝送路（ケーブル）。
【図１】
2010035343.tif 000003
【図２】
2010035343.tif 000004
【図３】
2010035343.tif 000005
【図４】
2010035343.tif 000006
【図５】
2010035343.tif 000007
【図６】
2010035343.tif 000008